(57)【要約】【課題】経済的な装置構成で監視装置、表示装置、集線装置等の故障分離が迅速にできる遠隔監視システム及び故障分離方法を提供する。【解決手段】主監視装置４は、従監視装置５および表示装置７、集線装置用応答装置２１ａ〜２１ｎに応答要求を行い、結果が集線装置用応答装置２１ａ〜２１ｎから応答信号があり、従監視装置５および表示装置７から応答信号がない場合は従監視装置５および表示装置７が異常であると判断し、集線装置用応答装置２１ａ〜２１ｎ、従監視装置５および表示装置７全てから応答信号がない場合は、集線装置２ａ〜２ｎが異常であると判断し、結果が集線装置用応答装置２１ａ〜２１ｎから応答信号がなく従監視装置５および表示装置７から応答信号がある場合は集線装置用応答装置２１ａ〜２１ｎが異常であると判断する。【選択図】      図１
2010124414.tif 000002
【特許請求の範囲】
【請求項１】
少なくとも１個の第１の集線装置と、第２の集線装置と、前記集線装置毎に接続される集線装置用応答装置と、前記第１の集線装置毎に接続される従監視装置と、自らに被監視対象機器が接続されると共に前記第２の集線装置に接続される主監視装置と、前記第１の集線装置及び第２の集線装置が接続される伝送路と、前記従監視装置と前記主監視装置と前記各集線装置応答装置との間で通信可能なネットワークを備えた遠隔監視システムにおいて、
前記各集線装置用応答装置は、それぞれ固有の識別情報を有し、前記主監視装置から応答要求信号を前記ネットワークを介して受信した時、自分自身が健全である場合ヘルシー信号を応答信号として前記ネットワークを介して前記主監視装置に返信する送受信手段を備え、
前記従監視装置は少なくとも１台であり、自らに接続される被監視対象機器、又はおよび自らの動作監視を行うと共に固有の識別情報を有し、前記ネットワークを介して応答要求を受信した場合、自分自身が健全な場合、自分自身の識別情報と共に応答信号を前記主監視装置に返信する送受信手段を備え、
前記主監視装置は固有の識別情報を有し、前記従監視装置及び前記従監視装置に対応する前記集線装置用応答装置とにそれぞれ応答要求を行い、前記従監視装置からの応答がなく、かつ前記集線装置用応答装置から応答がある場合は前記従監視装置が異常であると判定し、
前記主監視装置は、前記従監視装置及び前記従監視装置に対応する前記集線装置用応答装置とにそれぞれ応答要求を行い、前記従監視装置からの応答がなく、かつ前記集線装置用応答装置から応答がない場合は、前記集線装置が異常であると判定し、
前記主監視装置は、前記従監視装置及び前記従監視装置に対応する前記集線装置用応答装置とにそれぞれ応答要求を行い、前記従監視装置から応答があり、かつ前記集線装置用応答装置から応答がない場合は前記集線装置用応答装置が異常であると判定する
故障分離手段を備えることを特徴とする遠隔監視システム。
【請求項２】
前記従監視装置が複数台備えられる場合、前記従監視装置のうち少なくとも１台が、警報表示手段を備えた表示装置であることを特徴とする請求項１記載の遠隔監視システム。
【請求項３】
前記従監視装置が複数台備えられる場合、前記従監視装置のうち少なくとも１台が、警報表示手段を備えた表示装置であって、
前記主監視装置は、前記故障分離手段が判定した異常を通知する警報信号を前記ネットワークを介して前記表示装置へ送信し、
前記表示装置は、前記警報信号を受信した場合、その異常の警報を発報することを特徴とする請求項１記載の遠隔監視システム。
【請求項４】
少なくとも１個の第１の集線装置と、第２の集線装置と、前記集線装置毎に接続される集線装置用応答装置と、前記第１の集線装置毎に接続される従監視装置と、自らに被監視対象機器が接続されると共に前記第２の集線装置に接続される主監視装置と、前記第１の集線装置及び第２の集線装置が接続される伝送路と、前記従監視装置と前記主監視装置と前記各集線装置応答装置との間で通信可能なネットワークを備えた遠隔監視システムにおいて、
前記集線装置用応答装置は、それぞれ固有の識別情報を有し、前記主監視装置から応答要求信号を前記ネットワークを介して受信した時、自分自身が健全である場合ヘルシー信号を応答信号として前記ネットワークを介して前記主監視装置に返信する送受信手段を備え、
前記従監視装置は少なくとも１台であり、自らに接続される被監視対象機器、又はおよび自らの動作監視を行うと共に固有の識別情報を有し、前記ネットワークを介して前記主監視装置から応答要求を受信した場合、自分自身が健全な場合、自分自身の識別情報と共に応答信号を前記主監視装置に返信する送受信手段を備え、
前記主監視装置は固有の識別情報を有し、前記従監視装置に応答要求を行い、前記対応する前記従監視装置から応答がない場合であって前記集線装置用応答装置に応答要求を行い、前記集線装置用応答装置から応答があった場合は当該従監視装置が異常であると判定し、
前記主監視装置は前記従監視装置に応答要求を行い、前記対応する前記従監視装置から応答がない場合であって前記集線装置用応答装置に応答要求を行い、前記対応する前記集線装置用応答装置から応答がない場合は当該集線装置が異常であると判定する故障分離手段を備えることを特徴とする遠隔監視システム。
【請求項５】
少なくとも１個の第１の集線装置と、第２の集線装置と、前記集線装置毎に接続される集線装置用応答装置と、前記第１の集線装置に接続される従監視装置と、自らに被監視対象機器が接続されると共に前記第２の集線装置に接続される主監視装置と、前記第１の集線装置及び第２の集線装置が接続される伝送路と、前記従監視装置と前記主監視装置と前記集線装置応答装置との間が通信可能なネットワークを備えた遠隔監視システムの故障分離方法において、
前記集線装置用応答装置は、それぞれ固有の識別情報を有し、前記主監視装置から応答要求信号を前記ネットワークを介して受信した時、自分自身が健全である場合ヘルシー信号を応答信号として前記ネットワークを介して前記主監視装置に返信し、
前記従監視装置は少なくとも１台であり、自らに接続される被監視対象機器、又はおよび自らの動作監視を行うと共に固有の識別情報を有し、前記ネットワークを介して応答要求を受信した場合、自分自身が健全な場合、自分自身の識別情報と共に応答信号を前記主監視装置に返信し、
前記主監視装置は固有の識別情報を有し、前記従監視装置と前記集線装置用応答装置とに応答要求を行い、前記集線装置用応答装置から応答があり、前記従監視装置から応答がない場合は前記従監視装置が異常であると判定し、
前記主監視装置は、前記従監視装置と前記集線装置用応答装置とに応答要求を行い、前記集線装置用応答装置から応答があり、前記従監視装置と前記集線装置用応答装置の両者から応答がない場合は、前記集線装置が異常であると判定し、
前記主監視装置は、前記従監視装置と前記集線装置用応答装置とに応答要求を行い、前記従監視装置から応答があり、前記第１の集線装置用応答装置から応答がない場合は前記集線装置用応答装置が異常であると判定する
ことを特徴とする遠隔監視システムの故障分離方法。
【請求項６】
少なくとも１個の第１の集線装置と、第２の集線装置と、前記集線装置毎に接続される集線装置用応答装置と、前記第１の集線装置に接続される従監視装置と、自らに被監視対象機器が接続されると共に前記第２の集線装置に接続される主監視装置と、前記第１の集線装置及び第２の集線装置が接続される伝送路と、前記従監視装置と前記主監視装置と前記集線装置応答装置との間が通信可能なネットワークを備えた遠隔監視システムの故障分離方法において、
前記集線装置用応答装置は、それぞれ固有の識別情報を有し、前記主監視装置から応答要求信号を前記ネットワークを介して受信した時、自分自身が健全である場合ヘルシー信号を応答信号として前記ネットワークを介して前記主監視装置に返信し、
前記従監視装置は、少なくとも１台であり、自らに接続される被監視対象機器、又はおよび自らの動作監視を行うと共に固有の識別情報を有し、前記ネットワークを介して前記主監視装置から応答要求を受信した場合、自分自身が健全な場合、自分自身の識別情報と共に応答信号を返信し、
前記主監視装置は固有の識別情報を有し、前記従監視装置に応答要求を行い、前記対応する前記従監視装置から応答がない場合であって前記集線装置用応答装置に応答要求を行い、前記集線装置用応答装置から応答があった場合は前記従監視装置が異常であると判定し、
前記主監視装置は前記従監視装置に応答要求を行い、前記対応する前記従監視装置から応答がない場合であって前記集線装置用応答装置に応答要求を行い、前記集線装置用応答装置から応答がない場合は前記集線装置が異常であると判定することを特徴とする遠隔監視システムの故障分離方法。
【発明の詳細な説明】
【技術分野】
【０００１】
本発明は、例えばビル施設の被監視対象である受変電機器の監視を行う遠隔監視システム及びその故障分離方法に関する。
【背景技術】
【０００２】
ビル施設の管理を行う遠隔監視システムは、分散設置される多数の変圧器や、遮断機等の受変電設備を例えばエリヤ毎等でグループ化し、エリヤ毎のそれらの動作状態を測定、監視する監視装置と、監視装置が測定した監視・モニタ信号を収集して管理設備（中央監視設備）へ伝送する伝送装置とネットワークから構成される。管理設備は、各受変電設備の動作状態のみならず、監視装置及び伝送装置の自己点検状態も監視する必要がある。例えば、特許文献１では、排水機場（ビル施設）を管理する（機器監視制御）システムにおいて、機器応答監視機能及び応答機能を含めた監視機能を有している監視装置と応答機能を有した機器監視制御装置が通信ネットワークに接続される機器監視制御システムがある。
【０００３】
しかし、伝送装置と監視装置がそれぞれ別個の機器で構成される場合には、伝送装置、即ち、監視装置の監視信号を収集してネットワークに送信する集線装置や、監視装置、また受変電設備（機器）の異常検出や異常を検出した場合に管理設備で故障分離が可能な警報伝達をすることが困難な問題があった。
【０００４】
また、故障分離に必要な識別情報ＩＤを付与して管理する伝送装置、又はその様な管理機能を備えた伝送装置と監視機能を備えた機器監視制御装置は装置コストを要する問題があった。
【特許文献１】特開２００７−２５１６９７
【発明の開示】
【発明が解決しようとする課題】
【０００５】
本発明は、このような事情に基づいてなされたもので、経済的な装置構成で監視装置、表示装置、集線装置等の故障分離が迅速にできる遠隔監視システム及びその故障分離方法を提供することを目的とする。
【課題を解決するための手段】
【０００６】
前記目的を達成するため、本発明の遠隔監視システムは、少なくとも１個の第１の集線装置と、第２の集線装置と、前記集線装置毎に接続される集線装置用応答装置と、前記第１の集線装置毎に接続される従監視装置と、自らに被監視対象機器が接続されると共に前記第２の集線装置に接続される主監視装置と、前記第１の集線装置及び第２の集線装置が接続される伝送路と、前記従監視装置と前記主監視装置と前記各集線装置応答装置との間で通信可能なネットワークを備えた遠隔監視システムにおいて、前記各集線装置用応答装置は、それぞれ固有の識別情報を有し、前記主監視装置から応答要求信号を前記ネットワークを介して受信した時、自分自身が健全である場合ヘルシー信号を応答信号として前記ネットワークを介して前記主監視装置に返信する送受信手段を備え、前記従監視装置は少なくとも１台であり、自らに接続される被監視対象機器、又はおよび自らの動作監視を行うと共に固有の識別情報を有し、前記ネットワークを介して応答要求を受信した場合、自分自身が健全な場合、自分自身の識別情報と共に応答信号を前記主監視装置に返信する送受信手段を備え、前記主監視装置は固有の識別情報を有し、前記従監視装置及び前記従監視装置に対応する前記集線装置用応答装置とにそれぞれ応答要求を行い、前記従監視装置からの応答がなく、かつ前記集線装置用応答装置から応答がある場合は前記従監視装置が異常であると判定し、前記主監視装置は、前記従監視装置及び前記従監視装置に対応する前記集線装置用応答装置とにそれぞれ応答要求を行い、前記従監視装置からの応答がなく、かつ前記集線装置用応答装置から応答がない場合は、前記集線装置が異常であると判定し、前記主監視装置は、前記従監視装置及び前記従監視装置に対応する前記集線装置用応答装置とにそれぞれ応答要求を行い、前記従監視装置から応答があり、かつ前記集線装置用応答装置から応答がない場合は前記集線装置用応答装置が異常であると判定する故障分離手段を備えることを特徴とする。
【０００７】
また、本発明の遠隔監視システムは、少なくとも１個の第１の集線装置と、第２の集線装置と、前記集線装置毎に接続される集線装置用応答装置と、前記第１の集線装置毎に接続される従監視装置と、自らに被監視対象機器が接続されると共に前記第２の集線装置に接続される主監視装置と、前記第１の集線装置及び第２の集線装置が接続される伝送路と、前記従監視装置と前記主監視装置と前記各集線装置応答装置との間で通信可能なネットワークを備えた遠隔監視システムにおいて、前記集線装置用応答装置は、それぞれ固有の識別情報を有し、前記主監視装置から応答要求信号を前記ネットワークを介して受信した時、自分自身が健全である場合ヘルシー信号を応答信号として前記ネットワークを介して前記主監視装置に返信する送受信手段を備え、前記従監視装置は少なくとも１台であり、自らに接続される被監視対象機器、又はおよび自らの動作監視を行うと共に固有の識別情報を有し、前記ネットワークを介して前記主監視装置から応答要求を受信した場合、自分自身が健全な場合、自分自身の識別情報と共に応答信号を前記主監視装置に返信する送受信手段を備え、前記主監視装置は固有の識別情報を有し、前記従監視装置に応答要求を行い、前記対応する前記従監視装置から応答がない場合であって前記集線装置用応答装置に応答要求を行い、前記集線装置用応答装置から応答があった場合は当該従監視装置が異常であると判定し、前記主監視装置は前記従監視装置に応答要求を行い、前記対応する前記従監視装置から応答がない場合であって前記集線装置用応答装置に応答要求を行い、前記対応する前記集線装置用応答装置から応答がない場合は当該集線装置が異常であると判定する故障分離手段を備えることを特徴とする。
【０００８】
更に本発明の、遠隔監視システムの故障分離方法は、少なくとも１個の第１の集線装置と、第２の集線装置と、前記集線装置毎に接続される集線装置用応答装置と、前記第１の集線装置に接続される従監視装置と、自らに被監視対象機器が接続されると共に前記第２の集線装置に接続される主監視装置と、前記第１の集線装置及び第２の集線装置が接続される伝送路と、前記従監視装置と前記主監視装置と前記集線装置応答装置との間が通信可能なネットワークを備えた遠隔監視システムの故障分離方法において、
前記集線装置用応答装置は、それぞれ固有の識別情報を有し、前記主監視装置から応答要求信号を前記ネットワークを介して受信した時、自分自身が健全である場合ヘルシー信号を応答信号として前記ネットワークを介して前記主監視装置に返信し、前記従監視装置は少なくとも１台であり、自らに接続される被監視対象機器、又はおよび自らの動作監視を行うと共に固有の識別情報を有し、前記ネットワークを介して応答要求を受信した場合、自分自身が健全な場合、自分自身の識別情報と共に応答信号を前記主監視装置に返信し、前記主監視装置は固有の識別情報を有し、前記従監視装置と前記集線装置用応答装置とに応答要求を行い、前記集線装置用応答装置から応答があり、前記従監視装置から応答がない場合は前記従監視装置が異常であると判定し、前記主監視装置は、前記従監視装置と前記集線装置用応答装置とに応答要求を行い、前記集線装置用応答装置から応答があり、前記従監視装置と前記集線装置用応答装置の両者から応答がない場合は、前記集線装置が異常であると判定し、前記主監視装置は、前記従監視装置と前記集線装置用応答装置とに応答要求を行い、前記従監視装置から応答があり、前記第１の集線装置用応答装置から応答がない場合は前記集線装置用応答装置が異常であると判定することを特徴とする。
【０００９】
更にまた、本発明の、遠隔監視システムの故障分離方法は、少なくとも１個の第１の集線装置と、第２の集線装置と、前記集線装置毎に接続される集線装置用応答装置と、前記第１の集線装置に接続される従監視装置と、自らに被監視対象機器が接続されると共に前記第２の集線装置に接続される主監視装置と、前記第１の集線装置及び第２の集線装置が接続される伝送路と、前記従監視装置と前記主監視装置と前記集線装置応答装置との間が通信可能なネットワークを備えた遠隔監視システムの故障分離方法において、前記集線装置用応答装置は、それぞれ固有の識別情報を有し、前記主監視装置から応答要求信号を前記ネットワークを介して受信した時、自分自身が健全である場合ヘルシー信号を応答信号として前記ネットワークを介して前記主監視装置に返信し、前記従監視装置は、少なくとも１台であり、自らに接続される被監視対象機器、又はおよび自らの動作監視を行うと共に固有の識別情報を有し、前記ネットワークを介して前記主監視装置から応答要求を受信した場合、自分自身が健全な場合、自分自身の識別情報と共に応答信号を返信し、前記主監視装置は固有の識別情報を有し、前記従監視装置に応答要求を行い、前記対応する前記従監視装置から応答がない場合であって前記集線装置用応答装置に応答要求を行い、前記集線装置用応答装置から応答があった場合は前記従監視装置が異常であると判定し、前記主監視装置は前記従監視装置に応答要求を行い、前記対応する前記従監視装置から応答がない場合であって前記集線装置用応答装置に応答要求を行い、前記集線装置用応答装置から応答がない場合は前記集線装置が異常であると判定することを特徴とする。
【発明の効果】
【００１０】
本発明によれば、経済的な装置構成で監視装置、表示装置、集線装置等の故障分離が迅速にできる遠隔監視システム及びその故障分離方法を提供することができ、これにより異常発生時の部位特定を迅速に行うことができる。
【発明を実施するための最良の形態】
【００１１】
以下本発明の実施形態について、図面を参照して説明する。図１は、本発明の実施形態に関わる遠隔監視システムの構成図である。
【００１２】
図１において、遠隔監視システムは、伝送路１に接続される集線装置（第２の集線装置を構成している）２ａ、集線装置（第１の集線装置を構成している）２ｂ…２ｎ、各集線装置２ａ〜２ｎに接続される主監視装置４、従監視装置５、表示装置７、および集線装置用応答装置２１ａ、２１ｂ…２１ｎを備える。集線装置用応答装置２１ａは、第２の集線装置用応答装置を構成し、集線装置用応答装置２１ｂ…２１ｎは第１の集線装置用応答装置を構成している。なお、ここで従監視装置５は、１台のみ示されているが、表示装置７を含めて３台以上（図示せず）設置されていてもよい。
【００１３】
主監視装置４、従監視装置５、表示装置７、及び集線装置用応答装置２１ａ〜２１ｎは、後述のネットワークＮを介して信号を伝送するため、それぞれが固有の識別情報ＩＤを持ち、その識別情報ＩＤにより各装置間で通信する。
【００１４】
主監視装置４と従監視装置５には、それぞれ受変電設備を構成する変圧器、遮断器、その他空調、照明関連の機器が接続され、主監視装置４と従監視装置５からはそれぞれの自己監視信号と接続された被監視対象機器の監視信号とが集線装置２ａ、２ｂへ出力されている。
【００１５】
集線装置２ａ〜２ｎは、ハブ、又はノードと呼ばれる伝送装置である。そして、各集線装置２ａ〜２ｎの通信ポートには、主監視装置４又は従監視装置５、又は表示装置７と、集線装置２ａ〜２ｎに対応する集線装置用応答装置２１ａ〜２１ｎが接続される。そして、これらの各集線装置２ａ〜２ｎの通信ポートに入出力される信号を主監視装置４から指定される応答要求により指定された機器・装置の間で、伝送路１を介して中継伝送する。
【００１６】
即ち、伝送路１と伝送路１によって接続される集線装置２ａ〜２ｎとは、監視信号を送受信する監視信号ネットワークＮを構成している。
【００１７】
信号を中継伝送する通信手順は、ＬＡＮ（Lacal Area Network）で用いられるＣＤＭＡ（符号分割多元接続）方式とは異なり、トークンパッシング、ＩＰ（インターネットプロトコル）等により通信手順上は信号の衝突や消滅が無く、また送信元、送信先が識別情報ＩＤにより特定できるものが用いられる。本実施形態の故障分離方法では、この集線装置には、識別情報ＩＤが付与されたものでなく、単なるハブの様な信号を集合・分配する機能のみの機器の場合でも故障分離を可能としている。
【００１８】
図２は、集線装置用応答装置２１ａ〜２１ｎの内部構成を示す機能ブロック図である。集線装置用応答装置２１ａ〜２１ｎは、各集線装置２ａ、２ｎの自己点検監視を行った監視信号を各集線装置２ａ、２ｎとの間で入出力する機器である。通常、主監視装置４から自装置宛の応答要求を受信すると、自装置が接続されている集線装置が正常であると判断し、応答要求に対応して自分自身が健全なとき正常を示すヘルシーの応答信号を識別情報ＩＤと共に出力する。
【００１９】
この集線装置用応答装置２１ａ〜２１ｎからのヘルシーの応答信号は、集線装置用応答装置自身の自己点検データを含まない単なる受信確認のみのオウム返しの応答であっても構わない。
【００２０】
主監視装置４は従監視装置５および表示装置７、集線装置用応答装置２１ａ〜２１ｎとの間で応答要求を行って、監視信号を収集する。各監視装置に接続された機器からの監視信号を判読して、機器の動作状態を細部に点検するか、または、各機器や各集線装置用応答装置からの応答の有無を監視することにより、どの機器が故障しているかの故障分離を行う。
【００２１】
以下、本実施形態の遠隔監視システムの故障分離に関わる動作処理を中心に説明する。
【００２２】
主監視装置４は、従監視装置５と表示装置７と集線装置用応答装置２１ａ、２１ｂ、２１ｎにネットワークＮを介して応答要求を行う。主監視装置４は、各機器から識別情報ＩＤと共にヘルシーの応答信号を受信するとそれが正常と判断する。いずれかの機器から応答がない場合、従監視装置５又は表示装置７と集線装置用応答装置２１ａ、２１ｂ、２１ｎの応答可否の組み合わせによって集線装置２ａ、２ｂ、２ｎが異常、従監視装置５又は表示装置７の異常、集線装置用応答装置２１ａ、２１ｂ、２１ｎが異常かを判断して、表示装置７に異常を送信する。以上の処理を一定時間毎に行うことにより監視を行うものである。
【００２３】
主監視装置４は、ネットワークＮを介して監視信号の入力及び出力機能を有する集線装置２ａに接続され、従監視装置５、表示装置７、集線装置用応答装置２１ｂ、２１ｎ、集線装置２ａ〜２ｎの故障分離を行う。
【００２４】
図３は、主監視装置４の動作を説明する機能ブロック図である。
【００２５】
主監視装置４は、従監視装置５、表示装置７、集線装置用応答装置２１ａ〜２１ｎに対して応答要求信号を出力する応答要求部４１と、従監視装置５及び又は表示装置７と集線装置用応答装置２１ａ〜２１ｎからの応答信号の有無を格納（保存）する応答有無格納部４２と、従監視装置５及び又は表示装置７からの応答信号の有無と集線装置用応答装置２１ａ〜２１ｎからの応答信号の有無によってそれぞれの異常を判定する集線装置異常判定部４３及び監視・表示装置異常判定部４４並びに集線装置用応答装置異常判定部４５と、ネットワークＮを介して所定の装置、機器との間で応答要求信号や応答信号の送受信および各異常判定部４３、４４、４５での判定結果を表示装置７に送信する送受信部４６と、自分に接続される被監視対象の機器、装置との間で監視信号（ヘルシーの応答信号）を入出力して、被監視対象の機器を監視する応答監視部４７と、応答要求部４１〜応答監視部４７の動作を管理して応答信号の処理を制御する応答処理部４０とを備え、従監視装置６、表示装置７、集線装置用応答装置２１ａ〜２１ｎ、集線装置２ａ〜２ｎの故障分離を行う故障分離手段を構成している。応答処理部４０〜応答監視部４７の機能構成間はそれぞれが内部バス等により接続、又は論理的な信号接続が行われ、信号、情報を入出力する。
【００２６】
集線装置異常判定部４３は、例えば、応答有無格納部４２の保存データが従監視装置５及び又は表示装置７からの応答がなく集線装置用応答装置２１ａ〜２１ｎからも応答がない場合は集線装置用応答装置２１ａ〜２１ｎが接続されている集線装置２ａ〜２ｎが異常であると判断する。
【００２７】
監視・表示装置異常判定部４４は、例えば、応答有無格納部４２の保存データが従監視装置５及び又は表示装置７から応答がなく集線装置用応答装置２１ａ〜２１ｎからの応答がある場合は従監視装置５及び又は表示装置７が異常であると判断する。
【００２８】
集線装置用応答装置異常判定部４５は、応答有無格納部４２の結果が従監視装置５及び又は表示装置７から応答があり応答有無格納部４２の結果が集線装置用応答装置２１ａ、２１ｂ、２１ｎから応答がない場合は集線装置用応答装置２１ａ〜２１ｎが異常であると判断する。
【００２９】
送受信部４６は、集線装置異常判定部４３および監視・表示装置異常判定部４４および集線装置用応答装置異常判定部４５より得られた異常を通知する監視信号を、集線装置２ａ−伝送路１―集線装置２ｎ経由のネットワークＮを介して表示装置７に送信する。
【００３０】
次に、これらの説明を詳細におこなう。従監視装置５は、信号の入力及び出力機能を有する集線装置２１ｂを介して接続され、被監視対象、例えば、受変電機器の動作監視を行うと共にネットワークＮを介した主監視装置４からの応答要求に対応して自身が健全で有ればヘルシーの応答信号を出力する。
【００３１】
表示装置７は、ネットワークＮとの間で監視信号の入力及び出力する集線装置２ｎを介して接続され、所定の手順により各監視装置から受信したデータの保存表示を行うと共に応答要求があったときで自分自身が健全なときヘルシーの応答信号を出力する。
【００３２】
集線装置用応答装置２１ｂ、２１ｎは、集線装置２ｂ及び集線装置２ｎにそれぞれ接続され、主監視装置４からネットワークＮを介して応答要求があったときで自分自身が健全なときヘルシーの応答信号をそれぞれ返信する。
【００３３】
図４は、主監視装置４の故障分離手順を示すフローチャートである。図４において主監視装置４の故障分離手段は、従監視装置５及び又は表示装置７と、集線装置用応答監視装置２１ａ〜２１ｎに対して応答要求を行い（Ｓ１）、その結果従監視装置５及び又は表示装置７からの応答信号があるかどうかを判断し（Ｓ２）、従監視装置５及び又は表示装置７からの応答信号があったと判断し、集線装置用応答監視装置２１ａ〜２１ｎから応答信号があるかどうかを判断し（Ｓ６）、集線装置用応答装置２１ａ〜２１ｎから応答信号がない場合には、集線装置用応答装置２１ａ〜２１ｎの異常と判定する（Ｓ７）。
【００３４】
そして、ステップＳ２において従監視装置５及び又は表示装置７からの応答信号がない場合であって、ステップＳ６と同様に集線装置用応答監視装置２１ａ〜２１ｎから応答信号があるかどうか判断し（Ｓ３）、要求を行い、その結果従監視装置５及び又は表示装置７からの応答信号がなく、集線装置用応答装置２１ａ〜２１ｎから応答信号がある場合には従監視装置５及び又は表示装置７の異常と判定する（Ｓ４）。
【００３５】
さらに、ステップＳ３において集線装置用応答装置２１ａ〜２１ｎから応答信号がない場合には集線装置２ａ〜２ｎが異常と判定する（Ｓ５）。なお、ステップＳ６において集線装置用応答装置２１ａ〜２１ｎから応答信号があった場合には、ステップＳ１に戻る。
図５は、正常状態における応答信号の処理手順を説明する概念図である。
【００３６】
図５では、ビル１００においてビルの施設を管理するための主監視装置４は、従監視装置５と表示装置７と集線装置２ａ〜２ｎと集線装置用応答装置２１ａ〜２１ｎを使用しているものとする。
【００３７】
従監視装置５は、ネットワークＮを介して応答信号の送受信に関わる通信インタフェースを行う応答処理部５０と、主監視装置５からの応答信号に対応する被監視対象機器からの応答信号を監視する応答監視部５１とを備える。集線装置用応答装置２１ａ〜２１ｎもネットワーク５を介して応答信号の送受信に関わる通信インタフェースを行う応答処理部９０を備える。表示装置７も同様のネットワーク５を介して応答信号の送受信に関わる通信インタフェースを行う応答処理部７０を備え、また主監視装置４の送受信部４６から異常を示す警報を受信した場合、警報を発報する警報発報部７１を備える。
【００３８】
主監視装置４は、所定のタイミング、又は図示されない入力手段から監視応答を要求するコマンド等を入力されたタイミングに従監視装置５と集線装置用応答装置２１ｂに応答要求信号１１１を応答要求部４１から図５では示さないがネットワークＮを介して送信する。従監視装置５と集線装置用応答装置２１ｂとはこれに対して、それぞれ自身が正常である場合、ヘルシーである応答信号１１２を識別情報ＩＤと共に返信する。主監視装置４は、正常でヘルシーの応答信号を受信した場合はこの正常な応答があったことを応答有無格納部４２から応答要求部４１と応答処理部４０へと通知する監視信号１１３を送信する処理を一定時間毎に繰り返す。
【００３９】
図６は従監視装置５に異常がある場合の応答信号の処理手順を説明する概念図である。
【００４０】
図６において、従監視装置５に異常がある場合には従監視装置５からの応答信号１１２はなく集線装置用応答装置２１ｂからの応答信号が有ったことを通知する信号１１４が応答有無格納部４２から集線装置異常判定部４３へ出力される。そして、集線装置異常判定部４３は、上述の様に従監視装置５が異常と判断する故障分離を行う。そして、従監視装置５の異常を通知する信号１１７が送受信部４６へ送信され、その異常を通知する警報信号１１８としてネットワークＮを介して表示装置７へ通知され、警報発報部７１で従監視装置５の異常が発報（表示）される。
【００４１】
図７は集線装置２ｂに異常がある場合の応答信号の処理手順を説明する概念図である。
【００４２】
図７において、集線装置２ｂに異常がある場合には、従監視装置５からも集線装置用応答装置２１ｂの識別情報ＩＤを持つ応答信号１１２が受信されない。そして集線装置用応答装置２１ｂからの応答信号１１２がない異常を通知する信号１１５が応答有無格納部４２から集線装置異常判定部４３へ出力される。そして、集線装置異常判定部４３は、従監視装置５と集線装置用応答装置２１ｂの両方からの応答信号１１２がないことから集線装置２ｂが通信できず異常であると判定し、集線装置２ｂの異常を通知する信号１１７が送受信部４６へ送信される。そして、その異常を通知する警報信号１１８が送受信部４６からネットワークＮを介して表示装置７の警報発報部７１へ通知される。
【００４３】
図８は集線装置用応答装置２１ｂに異常がある場合の応答信号の処理手順を説明する概念図である。
【００４４】
図８において、集線装置用応答装置２１ｂに異常がある場合、従監視装置５からの応答信号１１２を受信したが集線装置用応答装置２１ｂからの応答信号１１２がないことを示す異常を通知する信号１１６が応答有無格納部４２から集線装置用応答装置異常判定部４５へ出力される。そして、集線装置用応答装置異常判定部４５は、集線装置用応答装置２ｂに異常があると判定して、その異常を通知する信号１１７が送受信部４６へ送信され、更にその異常を通知する警報信号１１８がネットワークＮを介して表示装置７の警報発報部７１へ通知される。
【００４５】
このように従監視装置５と集線装置用応答装置２１ｂからの応答信号の組み合わせによりどの構成が異常であるかを判定できる。主監視装置４は応答結果から異常の種類を判定し、異常判定信号１１７、表示装置７の警報発報部７１にその異常信号１１８を送信する。
【００４６】
また、図６〜図８は、１台の従監視装置５の場合についての故障分離を説明したが、複数台の場合であっても、主監視装置４は、応答要求、および応答信号に付加される識別情報ＩＤにより各従監視装置について故障分離が可能である。
【００４７】
また、表示装置７については、従監視装置５の図示されない内蔵ディスプレイ、ランプ等の表示手段により表示装置７の異常の警報を発報する点が異なるが図６〜図８と同様の手順を実施すれば故障分離が可能である。また、図示されない予備の表示装置また、内蔵ディスプレイを備える従監視装置へ警報信号が送信され、そこで警報が発報される様にしてもよい。
【００４８】
以上述べた説明は、予め主監視装置４と従監視装置５が設定されている場合の動作説明例である。従監視装置５に、図５〜図８の主監視装置４に備えている応答処理部４０、応答要求部４１、応答有無格納部４２、集線装置異常判定部４３、監視・表示装置異常判定部４４、集線装置用応答異常判定部４５、送受信部４６、応答監視部４７の構成を備えていれば、前述の実施形態と同様の処理を従監視装置５で行うことができる。このように主監視装置４と、同様な機能部を備えている従監視装置５にあってはその設定は初期設定によるほか、所定の自己診断プログラムにより相互に選択切替が行われるものであってもよい。
【００４９】
以上述べた実施形態によれば、低コストのハブである集線装置２ａ〜２ｎを用い、従監視装置５及び又は表示装置７、集線装置２ａ〜２ｎ、集線装置用応答装置２１ａ〜２１ｎの故障分離が迅速にできる遠隔監視システム及びその故障分離方法を提供することができる。
【００５０】
図９は、前述の実施形態の変形である実施形態を説明するためのフローチャートを示すもので、前述の実施形態の図４では、主監視装置４は従監視装置５と集線装置用応答装置２ｂに同時に応答要求を行っている（Ｓ１）が、図９の変形例では従監視装置５及び又は表示装置７にのみ応答要求を行う（Ｓ１０）。
【００５１】
そして、従視装置５及び又は、表示装置７からの応答信号があるかを判断し（Ｓ１１）、ステップＳ１１において応答信号が無い場合に集線装置用応答装置２１ａ〜２１ｎに対して応答要求を行い（Ｓ１２）、その後集線装置用応答装置２１ａ〜２１ｎから応答信号があるかどうかを判断し（Ｓ１３）、集線装置用応答装置２１ａ〜２１ｎから応答要求が無い場合、集線装置２ａ〜２ｎが異常とする（Ｓ１５）。ステップＳ１３において、集線装置用応答装置２１ａ〜２１ｎから応答信号があると判断すると、従監視装置５及び又は表示装置７の異常とする。
【００５２】
集線装置用応答装置２１ａ〜２１ｎは、本来集線装置が動作しているか否かを確認するための装置であって、前述の様に単純なオウム返しの機能で済ませる場合は部品数が少なく故障やエラーの発生が少ないので、故障分離の対象から除外しても支障は少ない。
【００５３】
変形例の実施形態は、集線装置用応答装置２１ａ、２１ｂ、２１ｎの監視を省略することにより異常発生時には、改めて集線装置用応答装置２１ｂに応答要求（Ｓ１２）を行うため前述の実施形態よりも異常機器特定に時間がかかるが、正常時は応答要求の数を半分に減少させることができるのでネットワークＮに対する伝送量を減少させる効果がある。
【００５４】
また、上記の故障分離方法と、変形例とを切り替える様にして使用してもよい。例えば、前者の方法で監視をするうち、主監視装置４の応答処理部４０が、送受信部４６におけるトラフィックを監視し所定のトラフィックを超える場合、変形例に故障分離モードを変更する様に切り替える様にしてもよい。さらに、主監視装置４の図示されない入力手段からオペレータによって入力されるコマンドによって切り替える様にしてもよい。
【００５５】
また、前述した実施形態の表示装置７は、従監視装置５と同様な機能を備えると共に、警報表示手段を含むものであってもよく、その警報表示手段は主監視装置４における故障分離手段が判定した異常を通知する警報信号をネットワークＮを介して警報表示手段へ送信し、その警報信号を受信した場合、その異常の警報を発報するようにしてもよい。
【００５６】
以上説明した如く、本発明の実施形態の遠隔監視システムでは、集線装置２ａ〜２ｎに通信上の識別情報ＩＤを用いない場合であっても集線装置を含めて遠隔監視システムを構成する装置、機器の故障分離が可能なため、コストを抑えることが可能である。
【図面の簡単な説明】
【００５７】
【図１】本発明の実施形態に関わる遠隔監視システムの構成図。
【図２】集線装置用応答装置の機能ブロック図。
【図３】主監視装置の動作を説明するための機能ブロック図。
【図４】主監視装置の故障分離手順を示すフローチャート。
【図５】正常状態における応答信号の処理手順を説明する概念図。
【図６】従監視装置に異常がある場合の応答信号の処理手順を説明する概念図。
【図７】集線装置に異常がある場合の応答信号の処理手順を説明する概念図。
【図８】集線装置用応答装置に異常がある場合の応答信号の処理手順を説明する概念図。
【図９】主監視装置の故障分離手順の変形例を示すフローチャート。
【符号の説明】
【００５８】
１…伝送路、２ａ、２ｂ、２ｎ…集線装置、４…主監視装置、５…従監視装置、７…表示装置、２１ａ、２１ｂ、２１ｎ…集線装置用応答装置、４０…応答処理部、４１…応答要求部、４２…応答有無格納部、４３…集線装置異常判定部、４４…監視・表示装置異常判定部、４５…集線装置用応答装置異常判定部、４６…送受信部、４７…応答監視部、１００…ビル、Ｎ…ネットワーク
【図１】
2010124414.tif 000003
【図２】
2010124414.tif 000004
【図３】
2010124414.tif 000005
【図４】
2010124414.tif 000006
【図５】
2010124414.tif 000007
【図６】
2010124414.tif 000008
【図７】
2010124414.tif 000009
【図８】
2010124414.tif 000010
【図９】
2010124414.tif 000011